(57)【要約】  【課題】光ファイバ接続分岐機構を内装した複数のトレイを、スライドレール機構を介して引出し式に出し入れ可能に格納ケースに差込み装着された光ファイバ接続箱において、作業用開放位置のトレイが不用意に押し込み移動されることを防止できるようにする。  【解決手段】トレイ４を大きく引出した作業用開放位置ｂから格納位置ａに向けて押し戻し移動させる際に、その移動に抵抗を付与する抵抗手段を備える。抵抗手段としては、例えば、抵抗をもってスライド伸縮する伸縮棒８を、格納ケース側とトレイ４とに亘って架設する構造が採用できる。【選択図】        図３
2005084241.tif 000002
【特許請求の範囲】
【請求項１】
光ファイバ接続分岐機構を内装した複数のトレイが、スライドレール機構を介して出し入れ可能に格納ケースに差込み装着された光ファイバ接続箱であって、
前記トレイを引出した作業用開放位置と前記トレイを格納した格納位置との間で移動させる際に、前記トレイの移動に物理的な抵抗を付与する抵抗手段を設ける、
ことを特徴とする光ファイバ接続箱。
【請求項２】
前記抵抗手段は、伸縮方向に物理的な抵抗を発揮した状態で伸縮する伸縮棒から構成され、この伸縮棒が、前記格納ケースと前記トレイとに亘って架設されている、
ことを特徴とする請求項１に記載の光ファイバ接続箱。
【発明の詳細な説明】
【技術分野】
【０００１】
本発明は、光ファーバケーブル同士の接続、光ファーバケーブルからの光ファイバテープ心線あるいは光ファイバ単心線への分岐、および、光ファイバ心線同士の接続、などを行う光ファイバ接続箱に関する。
【背景技術】
【０００２】
大容量の光通信網を備えた施設においては、光ファイバ接続分岐機構を内装した複数のトレイを、スライドレール機構を介して引出し式に出し入れ可能に格納ケースに差込み装着してある光ファイバ接続箱が利用されている（例えば、特許文献１参照）。
【特許文献１】特開平５−２４１０２７号公報
【発明の開示】
【発明が解決しようとする課題】
【０００３】
従来の光ファイバ接続箱においては、トレイがスライドレール機構を介して単に引出し式に出し入れ可能に格納ケースに差込み装着されており、小さな力が付与されただけでトレイは勢いよく移動してしまう。これにより、トレイを作業用開放位置に引き出して接続作業を行っている際に、不用意に押し込み方向に外力がかかるとトレイは勢いよく移動してしまい、これによって光ファイバ心線が格納ケースとトレイとの間に挟まって断心するおそれがある。そのため、光ファイバの接続作業に細心の注意を払う必要がある上に、トレイの移動にも気を配りながら作業を行わねばならず、作業中の気苦労が大きいものとなっている。
【課題を解決するための手段】
【０００４】
上記課題を解決するために、本発明は以下のように構成した。
【０００５】
本発明の特徴構成は、光ファイバ接続分岐機構を内装した複数のトレイが、スライドレール機構を介して出し入れ可能に格納ケースに差込み装着された光ファイバ接続箱において、
前記トレイを引出した作業用開放位置と前記トレイを格納した格納位置との間で移動させる際に、前記トレイの移動に物理的な抵抗を付与する抵抗手段を設ける。
【０００６】
この構成によると、トレイを作業用開放位置まで引出して接続作業を行っている際に、不用意にトレイに押し戻し方向の外力をかけてしまっても、その外力が小さければトレイは動くことがなく、また、多少大きい外力がかかって押し戻されたとしても、格納位置にまで一気に戻されてしまうようなことはない。
【０００７】
作業終了後は、意識的に少し強くトレイを押し戻すことで、トレイを格納位置にまで移動させることができる。ただし、トレイにかける抵抗が大き過ぎると、抵抗に打ち勝つ押し戻し力で勢いよく移動させてしまって衝撃的に格納してしまうことになるので、適度な抵抗の設定が必要となる。
【０００８】
ここで、スライド抵抗をもってスライド伸縮する伸縮棒を、前記格納ケースと前記トレイとに亘って架設して前記抵抗手段を構成すると、トレイの引出し移動および押し戻し移動のいずれにも常に適度の抵抗をかけることができ、大きく引き出した作業用開放位置での不用意な押し込み移動を阻止する上記機能の他に、トレイを任意の引出し位置で安定保持しておく機能を発揮させることができる。
【発明の効果】
【０００９】
このように、本発明によれば、トレイを作業用開放位置に引き出して接続作業を行っている際に、不用意に押し込み方向に外力がかかっても、トレイが軽く移動してしまって、光ファイバ心線を格納ケースとトレイとの間に挟んで断心させてしまうおそれがなくなる。従って、作業者は、トレイの不用意な移動に特に気を付ける必要はなく、接続作業に専念することができる。
【発明を実施するための最良の形態】
【００１０】
以下、本発明の実施例を図面に基づいて説明する。
【００１１】
図１に、本発明に係る光ファイバ接続箱の全体外観が、また、図２に、その側面図がそれぞれ示される。
【００１２】
この光ファイバ接続箱は、前面が観音開き式の扉２で開閉される縦長箱状に構成された格納ケース１の内部にラック３が組み付けられ、このラック３に多数のトレイ４が引き出し式に出し入れ可能に差込装着された構造となっている。
【００１３】
格納ケース１は、例えば高さ１４００〜２０００ｍｍ、幅７５０ｍｍ、奥行き３００ｍｍ程度に構成される。トレイ４は、高さ６０ｍｍ、幅５００ｍｍ、奥行き２５０ｍｍ程度のものが複数段（例えば、２５段）装着されており、各トレイ４の内部には、光コネクタ接続用のアダプタ５、などの光ファイバ接続分岐機構６が組付けられており、１台のトレイ４が、多数心数の光ファイバー心線の接続分岐を行うユニットとして構成されている。
【００１４】
トレイ４は、ラック３の各段ごとに左右一対づつ装着された伸縮式のスライドレール機構７の先端部に取り付けられており、ラック３の内方に深く押し込められた格納位置(ａ）と、トレイ４全体が格納位置（ａ）から前方に大きく突出する作業用開放位置（ｂ）とに亘ってスライド移動可能に支持されている。
【００１５】
そして、このスライドレール機構７をラック３に取り付ける基材７ａとトレイ４とに亘って片方または左右一対の伸縮棒８が架設されている。この伸縮棒８は、自動車の伸縮式アンテナや講演などに用いる伸縮式の指し棒、などと同様に適度なスライド抵抗をもって複数段（この例では４段）に伸縮するものであり、この伸縮棒８のスライド抵抗によって、トレイ４の移動ストロークの全域において、その移動に適度の抵抗が付与されるようになっている。
【００１６】
ここで、伸縮棒８のスライド抵抗は、作業用開放位置に引き出されたトレイ４に押し込み方向の外力が多少かかっても、トレイ４が軽く押し込み移動されてしまうことがなく、かつ、作業者による格納移動が苦にならない適当な大きさに設定されている。
【実施例】
【００１７】
トレイ４に押し込み抵抗を付与する抵抗手段は、以下のような形態で実施することもできる。
【００１８】
（１）トレイ４が作業用開放位置に引き出される際にトレイ４の側面部に圧接されて弾性変形するゴム、フェルトなどの摩擦抵抗部材をラック側に備えておくことで、作業用開放位置のトレイ４が不用意に押し込み移動されることを防止できる。
【００１９】
（２）逆に、トレイ４が作業用開放位置に引き出される際にラック３の一部に圧接されて弾性変形するゴム、フェルト、などの摩擦抵抗部材をトレイ４側に備えておくことでも、作業用開放位置のトレイ４が不用意に押し込み移動されることを防止できる。
【００２０】
（３）トレイ４が作業用開放位置に引き出される際にトレイ４の側面部に弾性係合される板バネ等からなる弾性係合部材をラック側に備えておくことで、作業用開放位置のトレイ４が不用意に押し込み移動されることを防止できる。
【００２１】
（４）逆に、トレイ４が作業用開放位置に引き出される際にラック３の一部に弾性係合される板バネ等からなる弾性係合部材をトレイ４側に備えておくことでも、作業用開放位置のトレイ４が不用意に押し込み移動されることを防止できる。
【図面の簡単な説明】
【００２２】
【図１】光ファイバ接続箱の全体外観を示す斜視図である。
【図２】トレイの平面図である。
【図３】要部の側面図である。
【符号の説明】
【００２３】
１        格納ケース                ４        トレイ
６        光ファイバ接続分岐機構    ７        スライドレール機構
８        伸縮棒                    ａ        格納位置
ｂ        作業用開放位置
【図１】
2005084241.tif 000003
【図２】
2005084241.tif 000004
【図３】
2005084241.tif 000005